(57)【要約】【課題】貯湯槽の水の温度が高温な場合に貯湯槽内に析出する不純物を効率的に排出する。【解決手段】燃料電池と、燃料電池から発生する熱を水で回収して貯める貯湯槽と制御部とを備える。貯湯槽は、底部近傍に水の排出口と貯湯槽内の水の温度を検出する温度検出部とを有する。貯湯槽内の水の温度における第一の上限温度が制御部に予め設けられる。制御部は温度検出部で検出される温度が第一の上限温度を上回り、燃料電池の運転を継続させる場合、排出口より貯湯槽内の水を排出させる。【選択図】図１
2011181424.tif 000002
【特許請求の範囲】
【請求項１】
燃料電池と、
燃料電池から発生する熱を水で回収して貯め、底部近傍に設けられる水の排出口と、前記水の温度を検出する温度検出部とを有する貯湯槽と、
制御部と、を備え、
前記貯湯槽内の水の温度における第一の上限温度が前記制御部に予め設けられ、
前記制御部は、
前記温度検出部で検出される温度が前記第一の上限温度を上回り、前記燃料電池の運転を継続させる場合、
前記排出口より前記貯湯槽内の水を排出させる
燃料電池発電システム。
【請求項２】
前記排出口より前記貯湯槽内の水を排出することで前記貯湯槽内の沈殿物を排出する
請求項１に記載の燃料電池発電システム。
【請求項３】
前記貯湯槽は、上部近傍に前記貯湯槽外部への水の導出口と、底部近傍に前記貯湯槽内部への水の導入口とを備える
請求項１に記載の燃料電池発電システム。
【請求項４】
さらに、前記貯湯槽内の水の温度に第二の上限温度が前記制御部に予め設けられ、
前記制御部は、前記温度検出部で検出される温度が前記第二の上限温度を上回る場合、前記燃料電池の運転を停止させる
請求項１〜３のいずれかに記載の燃料電池発電システム。
【請求項５】
前記第一の上限温度は、前記貯湯槽内の水から、前記沈殿物が析出する温度である請求項１から４のいずれかに記載の燃料電池発電システム。
【請求項６】
前記第二の上限温度は、前記燃料電池を運転させる動作限界温度である請求項１から５のいずれかに記載の燃料電池発電システム。
【請求項７】
前記制御部は、前記第一の上限温度を上回って前記燃料電池を運転させた期間を計測し記憶する記憶部をさらに備え、
前記制御部は、前記期間が所定の期間に達した時に前記排出口から前記水を排出する
請求項１に記載の燃料電池発電システム。
【請求項８】
前記記憶部は、前記所定の期間における前記貯湯槽からの給湯量を計測して記憶し、
前記制御部は、前記給湯量と貯湯槽内に供給される水の成分とから、排出する前記水の排出量を設定する
請求項７に記載の燃料電池発電システム。
【請求項９】
前記制御部は、供給される水の成分から、前記所定の期間を設定する
請求項７に記載の燃料電池発電システム。
【請求項１０】
前記水の成分は、水の硬度、水に含まれる金属成分の量の少なくともいずれかを含む
請求項８または９に記載の燃料電池発電システム。
【請求項１１】
前記貯湯槽は、前記排出口に向かって下方に傾斜する傾斜部を有する
請求項１から１０のいずれかに記載の燃料電池発電システム。
【請求項１２】
前記制御部は、前記第一の上限温度以下で前記燃料電池を運転させた状態で、前記燃料電池の電流−電圧特性から前記燃料電池の寿命を推定するとともに、
前記第一の上限温度を上回って前記燃料電池を運転させたことに伴って生じる、前記燃料電池の寿命の変化を見積もる推定部をさらに備える請求項１に記載の燃料電池発電システム。
【請求項１３】
前記制御部は、前記推定部で推定した前記燃料電池の寿命の値を保持する記憶部をさらに備え、
前記推定部は、推定した前記燃料電池の寿命の値が変化したとき、前記記憶部に保持された前記燃料電池の寿命の値を更新する請求項１２に記載の燃料電池発電システム。
【請求項１４】
前記制御部は、予め設定された前記燃料電池の保証寿命の値を保持する記憶部をさらに備え、
前記制御部は、前記記憶部に記憶された前記燃料電池の保証寿命の値と前記燃料電池の寿命の値とを比較し、その比較結果に応じて前記上限温度を変更する請求項１２に記載の燃料電池発電システム。
【発明の詳細な説明】
【技術分野】
【０００１】
本発明は、燃料電池発電システムに関し、特にその利便性を向上させる制御に関する。
【背景技術】
【０００２】
固体高分子型燃料電池は、水素含有ガスを燃料ガスとし、酸素を含む空気を酸化剤として利用する。これら燃料ガスと酸化剤とを反応させることにより、発電を行う。一方、この発電に伴い熱も発生する。燃料電池においては、発電により発生する電力と熱とを外部に供給することができ、高いエネルギー効率を得ることができる。
【０００３】
このような燃料電池システムにおいては、上記熱の回収方法として、発生する熱（排熱）により水を加熱し貯湯槽に蓄える方法がよく知られている（例えば、特許文献１）。そして、この加熱された湯を給湯等に利用することで排熱を効率的に利用している。従来の燃料電池システムを図５に示す。燃料電池システムは、酸化剤と燃料ガスから電力と熱を発生させる燃料電池１０３と、燃料電池１０３からの出力をＡＣ／ＤＣ変換し外部電力負荷に供給するインバータ１１０と、燃料電池１０３から発生した熱を蓄える貯湯槽１０９とを備える。また燃料電池１０３で発生した熱を回収する冷却水を循環する燃料電池冷却水循環経路１１２と、貯湯槽１０９内の水を循環する貯湯槽水循環経路１１３と、燃料電池冷却水循環経路１１２を流れる水と貯湯槽水循環経路１１３を流れる水との間で熱交換を行う熱交換器１０７とをさらに備える。これにより、燃料電池１０３から発生する熱を貯湯槽１０９内に蓄えることができる。
【０００４】
上述した燃料電池システムにおいては、発電に伴う排熱を回収して貯湯槽１０９内の水を加熱するが、貯湯槽１０９が高温の湯ですでに満水となってしまった場合、燃料電池１０３の冷却が不十分となり、発電効率が低下もしくは発電不可となってしまう。このような場合には、発電を停止もしくは排熱をそのまま廃棄するなどして対応しなければならない。しかし、発電の停止や排熱の廃棄は、電力需要への柔軟な対応や、エネルギー効率の観点から望ましくない。
【０００５】
そこで、電力需要に応じて、貯湯槽１０９内の水（湯）の温度を変化させる燃料電池発電システムが提案されている（例えば、特許文献２）。このシステムにおいては、貯湯槽１０９内の水（湯）の温度をある上限温度と下限温度との間の温度で変化させるように制御する。例えば、給湯の需要が少なく逆に電力需要が高い場合には、貯湯槽１０９内の水（湯）の温度を上限温度近傍（例えば８０℃）に設定するよう制御される。これにより、電力需要と給湯需要に応じた効率的な燃料電池発電システムを実現している。
【先行技術文献】
【特許文献】
【０００６】
【特許文献１】特開２０００−３４０２４４号公報
【特許文献２】特開２００６−２９４５３５号公報
【発明の概要】
【発明が解決しようとする課題】
【０００７】
しかし、貯湯槽１０９内のお湯の温度が、６０℃を越す温度となると、水に含まれる金属イオン等が不溶化して（例えば、Ｃａ成分から炭酸カルシウム）析出し沈殿物として貯湯槽１０９内に溜まり燃料電池１０３の運転動作に不具合をきたす原因となる。
【０００８】
本発明は、上記従来の問題点を解決するもので、電力需要に応じて貯湯槽１０９のお湯の温度の上限温度を高温に変更した場合でも、沈殿物による燃料電池１０３の運転上の不具合を防止できる燃料電池発電システムを提供することを目的とする。
【課題を解決するための手段】
【０００９】
上記の課題を解決するために、本発明の燃料電池発電システムは、燃料電池と、燃料電池から発生する熱を水で回収して貯める貯湯槽と、制御部とを備える。貯湯槽は、底部近傍に水の排出口と貯湯槽内の水の温度を検出する温度検出部とを有する。貯湯槽内の水の温度における第一の上限温度が制御部に予め設けられる。制御部は、温度検出部で検出される温度が第一の上限温度を上回り、燃料電池の運転を継続させる場合、排出口より貯湯槽内の水を排出させる。
【発明の効果】
【００１０】
本発明の燃料電池発電システムによれば、貯湯槽内の水の温度が高くなることにより貯湯槽内の水から析出する不純物による沈殿物の影響を最小限に抑えることができる。よって、燃料電池発電システムの利便性を向上することができる。
【図面の簡単な説明】
【００１１】
【図１】本発明の実施の形態１による燃料電池発電システムのブロック図
【図２】本発明の実施の形態１による燃料電池発電システムにおける貯湯槽の模式図
【図３】本発明の実施の形態１による燃料電池発電システムにおける他の貯湯槽の模式図
【図４】本発明の実施の形態２による燃料電池発電システムのブロック図
【図５】従来の燃料電池発電システムのブロック図
【発明を実施するための形態】
【００１２】
（実施の形態１）
図１は本発明の実施の形態１による燃料電池発電システムのブロック図である。この燃料電池発電システムは、燃料処理機１と燃料電池３と制御部５と熱交換器７と貯湯槽９とを備える。燃料処理機１は、水蒸気と都市ガス等の原料ガスを改質反応させ、水素含有ガスを発生させる。燃料電池３はこの水素含有ガスを燃料とし、空気を用いて発電する。本実施の形態において、燃料電池３は固体高分子の薄膜を電解質として用いた固体高分子型燃料電池である。
【００１３】
水素含有ガスは燃料電池３の燃料極（図示せず）に供給され、燃料電池３内での発電に係る反応によって消費される。ただし燃料電池３は燃料ガス中の水素含有ガスを全て消費して発電に用いることはできないため、供給された水素含有ガスの内、約２０％が二酸化炭素とともに排出ガスとして排出される。この排出ガスは燃料処理機１で燃焼させ、改質部（図示せず）の加熱に利用される。
【００１４】
一方、酸化剤である酸素を含む空気は燃料電池３の空気極（図示せず）に供給される。酸素は燃料電池３内での発電に係る反応によって燃料極に供給された水素含有ガスと反応して水になる。この水由来の水蒸気と、未反応の酸素や反応しない窒素等が排出ガスとして排出される。
【００１５】
燃料電池３で発電された電力はインバータ１０を介して負荷１１に供給される。なお、インバータ１０は、燃料電池３で発電された電力を、負荷１１に必要な電流状態、電圧等に変換するとともに、負荷１１から要求される電力を検出し、制御部５にフィードバックし、制御部５での燃料電池の発電電力等の制御に用いられる。燃料電池３で発生した熱は貯湯槽９に蓄えられる。具体的には以下に説明するように燃料電池３で発生した熱を貯湯槽９に蓄える。燃料電池３は燃料電池３で発生した熱を回収する冷却水を循環させる燃料電池冷却水循環経路１２を備える。冷却水により燃料電池３で発生した熱を回収することで、燃料電池３は冷却される。一方、貯湯槽９は、貯湯槽９内の水（湯）を循環する貯湯槽水循環経路１３を備える。これら燃料電池冷却水循環経路１２と貯湯槽水循環経路１３との間には両循環経路を流れる水の熱交換を行う熱交換器７が設けられる。熱交換器７において、燃料電池冷却水循環経路１２を流れる冷却水の持つ熱を、貯湯槽水循環経路１３を流れる水に移動する。以上のように、燃料電池３で発生する熱を回収して貯湯槽９に蓄えることができる。図示していないが、これら冷却水および貯湯槽９内の水の循環のためのポンプや流量弁がそれぞれ設けられている。制御部５はこのポンプや流量弁の動作も制御する。また、貯湯槽９に蓄えられた水（湯）は暖房や給湯に利用される。
【００１６】
次に、図２を参照しながら貯湯槽のより具体的な構成を説明する。図２は本実施の形態１による燃料電池発電システムにおける貯湯槽の模式図である。貯湯槽９は、市水流入口２１と、給湯供給口２２貯湯槽水循環経路入口１３ａと、貯湯槽水循環経路出口１３ｂと、排出口２３と、温度検出部２４とを備える。
【００１７】
貯湯槽９内部への水の導入口である市水流入口２１は水道等と接続され、貯湯槽９内に水を供給する。この際、水の供給量や供給時期は、給湯の使用量や貯湯槽９内の水（湯）の温度等に基づき制御部５によって制御される。なお、貯湯槽９内の水の温度は貯湯槽９に設けられる温度検出部２４により測定され、制御部５に送られる。
【００１８】
貯湯槽９外部への水の導出口である給湯供給口２２からは、給湯設備等に貯湯槽９内の水（湯）を供給する。
【００１９】
貯湯槽９内の水（湯）は、（常時）貯湯槽水循環経路１３を循環している。具体的には貯湯槽９内の水（湯）は、貯湯槽水循環経路入口１３ａから貯湯槽水循環経路１３へと流れ込み、貯湯槽水循環経路出口１３ｂから貯湯槽９内に再び流入する。貯湯槽水循環経路１３には、燃料電池冷却水循環経路１２と熱交換を行う熱交換器７が設けられている。つまり、貯湯槽９内の水は貯湯槽水循環経路１３を流れることで、燃料電池３から発生した熱を回収した冷却水の熱により加熱される。これにより、燃料電池３で発生した熱を貯湯槽９内の水（湯）に蓄える。なお、貯湯槽９及び貯湯槽水循環経路１３を循環する水（湯）の流量は、貯湯槽９内の水（湯）の温度や給湯の使用量等に基づき、制御部５によって制御されている。
【００２０】
なお、図２に示すように、市水流入口２１と貯湯槽水循環経路入口１３ａと温度検出部２４とは貯湯槽９の底部近傍に設けることが好ましい。また貯湯槽水循環経路出口１３ｂ及び給湯供給口２２は貯湯槽９の上方に設けるのが好ましい。これは、貯湯槽９内においては、下部に比較的水の温度の低い領域が、上部に比較的水の温度の高い領域ができるためである。つまり、市水流入口２１から供給される水は通常の水道水の温度（約１０〜２０℃）であるため、比較的水の温度の低い領域近辺に流入する方が温度変動が小さく効率が良い。逆に、給湯供給口２２からは、温度の高い水（湯）を供給する必要があるため、水の温度の高い領域（上方）に設ける方が効率的に給湯を行うことができる。
【００２１】
次に、制御部５による制御を説明する。上述したように、発電に伴って燃料電池３で発生した熱は、定常的に熱交換器７を経て貯湯槽９に蓄えられる。すなわち、燃料電池３は定常的に冷却水によって冷却されている。これは、燃料電池３は高温になりすぎると運転効率の減少や運転寿命の低下の恐れがあるためである。そのため、制御部５には、貯湯槽９内の水（湯）の温度に、所定の第１の上限温度（例えば６０℃）を設定されている。これは、貯湯槽９の水の温度と燃料電池３の運転温度とは互いに連動しており、貯湯槽９内の水の温度が高くなると燃料電池３の運転温度も高くなるためでもある。この第１の上限温度は、燃料電池３の運転が問題なく行うことのできる温度であり、炭酸カルシウムの析出を防止し、レジオネラル菌等の細菌の発生を防止する温度を考慮して、決定すればよい。通常運転時には貯湯槽の水（湯）の温度は第１の上限温度以下となるように運転を制御する。ここで例えば、電力需要は高いが、給湯等の熱需要が低い場合、発電により発生する熱量に比べ、貯湯槽から利用される熱量が小さくなるため、結果として貯湯槽に蓄えられている熱量が増大していく。その結果、貯湯槽内の水（湯）の温度がどんどん上昇していくことになる。
【００２２】
最終的に、貯湯槽内の水の温度が第１の上限温度に達しても、さらに燃料電池３に対して発電要求がある場合、制御部５では、運転を継続すべきかどうか判断する。例えば、負荷１１での電力消費が多く、燃料電池３の運転を停止させると家庭と電力系統のブレーカーが落ちるが、燃料電池での発電を継続させると、ブレーカーが落ちる危険性を回避できる場合、制御部５は燃料電池３の運転を継続させる。結果として、制御部５は、第１の上限温度を上回る温度で運転を継続させる。
【００２３】
なお、制御部５は、燃料電池３へ発電要求があることを例えば以下のようにして検出する。インバータ１０が負荷１１から発電要求があることを検出した場合に、インバータ１０は制御部５に負荷１１からの発電要求があることを伝達し、燃料電池３は負荷１１からの発電要求があることを検出する。
【００２４】
なお、このような場合に備え、上限温度に第二の上限温度を設定しておくことが望ましい。なお、第二の上限温度は、燃料電池の固体電解質の限界温度や水の沸点等を考慮して、例えば８０〜９０℃とすることが好ましい。ただし、第二の上限温度は、用いる電解質の種類や、燃料電池の構造等に応じて適宜設定するものであり、上記の範囲に限るものではない。
【００２５】
上述したように貯湯槽９内の水（湯）の温度が第１の上限温度を上回って運転を継続した結果、貯湯槽９内の水（湯）の温度が第２の上限温度に達した場合、制御部５は、燃料電池３の運転を停止させるようにするのが好ましい。これにより、燃料電池３の固体電解質の劣化や、水の沸騰による配管の劣化、損傷を防止できる。
【００２６】
このように制御部５が第２の上限温度を上限として燃料電池を運転させ、貯湯槽９内の水（湯）の温度が第１の上限温度を超えると、貯湯槽９内の水（湯）から炭酸カルシウムをはじめとする不純物が析出し沈殿物を形成し始める。この不純物は、多量に析出し蓄積されることで貯湯槽９内の水の循環を妨げることがあるため、あまり好ましくない。
【００２７】
そのため制御部５は、第１の上限温度を上回り、燃料電池３の運転を継続する場合、排出口２３より貯湯槽９内の水を排出する。これにより、沈殿物を貯湯槽９から排出する。これにより、貯湯槽９内に溜まった沈殿物を効果的に貯湯槽９外部に排出でき、燃料電池３の運転の不具合を防止できる。
【００２８】
なお、以下のような構成にすることでより効果的に沈殿物を排出することができる。制御部５は、第一の上限温度を上回って運転している期間を計測し、その期間を記憶する記憶部４０を備える。制御部５は、第一の上限温度を上回って運転している期間が所定の期間を超えた場合には、貯湯槽９内の水（湯）を所定量だけ外部に排出する。これにより析出した不純物による沈殿物を貯湯槽９の外部に排出する。所定の期間や所定の量は、供給される水の成分や給湯使用状況等、状況に応じて異なるため、予め制御部５に上記所定の期間や所定の量を設定しておいても良い。
【００２９】
なお、制御部５は、供給される水の成分に応じて上述した所定の期間を設定するようにしても良い。ここでいう水の成分とは例えば、水の硬度や、水に含まれる金属成分（例えばＣａ）の含有量等が挙げられる。例えば、供給される水の硬度が高い場合、より多くの不純物が析出するため、所定の期間を短くする。また、供給される水の硬度が小さい場合、不純物の析出は比較的少ないため、所定の期間を長くする。
【００３０】
なお、記憶部４０は、第１の上限温度を上回って運転している期間における給湯量を記憶するようにしても良い。制御部５は、この給湯量と、貯湯槽に供給される水の成分とから、析出した不純物の量を概算し記憶部４０に蓄積する。そして、蓄積した不純物の析出量に応じて排出する水（湯）の量を設定する。このようにすることにより、排出する水の量を適切に決定でき、必要最小限の水の排出で済ませることができる。
【００３１】
貯湯槽９内の水の排出は、例えば以下のように行う。排出口２３に図示しない開閉弁を設け、水の排出を行う場合に制御部５は開閉弁を開ける。そして、所定量だけ水を排出した後、制御部５は開閉弁を閉じる。ここで、排出した水の量は例えば、予め計測されている時間当たりに排出される水の量に開閉弁の動作時間を計測して、それらの乗数をとる方法等で検出する。なお、上記のように貯湯槽９内の水を排出した場合には、水の排出量に応じて、市水流入口２１より水を供給するようにしても良い。
【００３２】
次に、本実施の形態による他の貯湯槽を図３を用いて説明する。図３は本実施の形態１による他の貯湯槽の概略図である。図３に示す貯湯槽９は傾斜部３０を有する点で上述した貯湯槽と異なる。具体的には、貯湯槽９の底部に排出口２３に向かって傾斜する傾斜部３０を有する。このような傾斜部３０を有することで、貯湯槽９内で析出する不純物が排出口２３近傍に集まりやすくなり、より効率的に貯湯槽９内に溜まった不純物を外部に排出できる。なお、傾斜部３０の下端に排出口２３を設けることがより好ましい。このようにすることで、貯湯槽９内に溜まった不純物をより効率的に外部に排出できる。
【００３３】
（実施の形態２）
図４は本発明の実施の形態２による燃料電池発電システムのブロック図である。なお、実施の形態１と同様の構成をなすものには同じ符号を付しており、詳細な説明を省略する。
【００３４】
本実施の形態では制御部５に、推定部４１がさらに設けられている。制御部５は実施の形態１で説明した制御部５と同様の機能を少なくとも有する。上述のように貯湯槽９内の水の温度が第１の上限温度を上回って運転した場合、燃料電池３の冷却が十分に行えず動作温度が高くなり燃料電池３の固体電解質膜の劣化等によって燃料電池３の寿命が多少短くなる可能性がある。よって推定部４１によって寿命を推定することにより燃料電池３の動作を制御する。具体的には以下のように寿命の推定を行う。推定部４１には燃料電池３で発電された電力の電流値と電圧値とが入力される。推定部４１は、制御部５が貯湯槽９内の水の温度を第１の上限温度以下で運転した場合に、これらの値から求められる電流−電圧特性から燃料電池３の寿命を推定する。
【００３５】
燃料電池３を同じ運転条件で動作させた場合、運転時間の経過に伴って燃料電池３の性能が低下し、電圧値が低下する。同じ運転条件とは、供給する水素含有ガス量、水素含有ガスの露点、動作温度、および燃料電池３から出力する電流値を同じにすることを意味する。寿命を予測する場合、電圧値の低下を予め測定／シミュレーションし、運転時間と電圧値低下をテーブル化する。そして寿命を予測したい時点での電圧値を測定する。電圧値と上述のテーブルから、測定した電圧値が、どの運転時間に相当するかを当てはめる。次に、寿命として設定している電圧値までの運転時間との差を計算する。このようにして燃料電池３の寿命を推定することができる。どの電圧値を燃料電池３の寿命と判断するかは個別機器で設定すればよい。例えば、電圧値の低下は発電効率の低下と同義なので、目標とする発電効率を下回る場合を燃料電池３の寿命としてもよい。あるいは、電圧が低下すると同じだけ発電させる場合、必要となる水素含有ガス量が多くなるので、燃料処理機１での水素含有ガス発生能力を考慮して、寿命を設定することもできる。
【００３６】
また推定部４１は制御部５による燃料電池３の発電動作の変更に伴う燃料電池３の寿命の変化を推定する。すなわち、推定部４１は貯湯槽９内の水の温度を第１の上限温度を上回って運転したことによる寿命への影響を寿命の変化として見積もる。例えば、第１の上限温度を上回って運転したことによって運転単位時間あたり寿命がどの程度短くなるかのデータを保持させておき、第１の上限温度を上回って運転した時間から寿命の短縮を見積もることができる。
【００３７】
記憶部４０は推定部４１で推定した燃料電池３の寿命の値を保持している。推定部４１は、推定した燃料電池３の寿命の値が変化したとき、記憶部４０に保持された燃料電池３の寿命の値を更新する。
【００３８】
例えば家庭用の燃料電池発電システムには、１０年程度の寿命を保証することが必要である。そのため燃料電池３は、通常運転で運転しても１０年以上の寿命を有するように設計されている。このように短くなった寿命の値を記憶部４０に保持することで、例えば第１の上限温度を上回って運転をすることを制限することができる。これによって確実に１０年程度の寿命を確保することができる。
【００３９】
逆に、通常の運転において比較的軽負荷で使われることが多い場合、燃料電池３の寿命が１０年をはるかに超える状況もありうる。このように寿命に余裕がある場合、制御部５は積極的に第１の上限温度を上回って運転できる。すなわち、制御部５は、予め設定され記憶部４０に記憶された燃料電池３の保証寿命の値と、実際に推定された燃料電池３の寿命の値とを比較し、その比較結果に応じて貯湯槽の水の温度を制御できる。このようにすれば、保証寿命を確保しつつ、負荷１１の変動に柔軟に対応することができる。
【産業上の利用可能性】
【００４０】
以上のように、本発明の燃料電池発電システムでは、貯湯槽内の水の温度が所定の第１の上限温度を上回って、運転を継続した場合、貯湯槽内の水を排出することで貯湯槽内の沈殿物を排出する。これによって、燃料電池の運転上の不具合を防止でき、利便性を向上することができる。本発明にかかる燃料電池発電システムは、特に家庭での電力を安定的に供給するシステムとして有用である。
【符号の説明】
【００４１】
１    燃料処理機
３，１０３    燃料電池
５    制御部
７，１０７    熱交換器
９，１０９    貯湯槽
１０，１１０    インバータ
１１    負荷
１２，１１２    燃料電池冷却水循環経路
１３，１１３    貯湯槽水循環経路
１３ａ    貯湯槽水循環経路入口
１３ｂ    貯湯槽水循環経路出口
２１    市水流入口
２２    給湯供給口
２３    排出口
２４    温度検出部
３０    傾斜部
４０    記憶部
４１    推定部
【図１】
2011181424.tif 000003
【図２】
2011181424.tif 000004
【図３】
2011181424.tif 000005
【図４】
2011181424.tif 000006
【図５】
2011181424.tif 000007